(57)【要約】【課題】撮像された画像データを本体側で再現性よく再生可能に出力するカメラモジュールを提供する。【解決手段】カメラモジュール１は、センサ部１１で撮像されたＲＡＷデータに基づいて撮像に係る調整のための評価値を評価値算出部１３１で算出し、その算出値に応じた被写体像の調整を制御部１３がアクチュエータ１５に指示して行なうとともに、判定部１３３でその評価値に基づいて判定される画像処理パラメータ／撮影状況を示す値を上記ＲＡＷデータに付帯させて本体ユニット２に出力する。【選択図】図２
2006295305.tif 000002
【特許請求の範囲】
【請求項１】
光学系から撮像面に入力される被写体像をデジタル画像データとして取得する撮像手段と、
前記取得されたデジタル画像データに基づいて撮像に係る調整の基準である評価値を算出する算出手段と、
前記算出された評価値に応じて前記被写体像の撮像に係る調整を行なう調整手段と、
前記算出された評価値に応じた画像処理パラメータを決定するパラメータ決定手段と、
前記デジタル画像データに当該デジタル画像データに関する前記画像処理パラメータを付帯させて外部機器へ出力する出力手段と、
を備えたことを特徴とするカメラモジュール。
【請求項２】
前記算出される評価値は、前記被写体像の焦点調整に関するＡＦ評価値であり、
前記調整手段は、前記ＡＦ評価値に基づいた焦点調整であることを特徴とする請求項１に記載のカメラモジュール。
【請求項３】
前記算出される評価値は、前記被写体像の露光に関するＡＥ評価値であり、
前記調整手段は、前記ＡＥ評価値に基づいた露光調整であることを特徴とする請求項１又は２に記載のカメラモジュール。
【請求項４】
前記出力手段から出力される画像処理パラメータは、ホワイトバランスゲイン情報、カラーマトリクス情報、階調曲線情報、ノイズ除去フィルタ情報、エッジゲイン情報のうちいずれか一の情報であることを特徴とする請求項１〜３のいずれか一項に記載のカメラモジュール。
【請求項５】
光学系から撮像面に入力される被写体像をデジタル画像データとして取得する撮像手段と、
前記取得されたデジタル画像データに基づいて撮像に係る調整の基準である評価値を算出する算出手段と、
前記算出された評価値に応じて前記被写体像の撮像に係る調整を行なう調整手段と、
前記算出された評価値に応じた撮像時の撮影状況を判定する判定手段と、
前記デジタル画像データに当該デジタル画像データに関する前記撮影状況を付帯させて外部機器へ出力する出力手段と、
を備えたことを特徴とするカメラモジュール。
【請求項６】
前記算出される評価値は、前記被写体像の焦点調整に関するＡＦ評価値であり、
前記調整手段は、前記ＡＦ評価値に基づいた焦点調整であることを特徴とする請求項５に記載のカメラモジュール。
【請求項７】
前記算出される評価値は、前記被写体像の露光に関するＡＥ評価値であり、
前記調整手段は、前記ＡＥ評価値に基づいた露光調整であることを特徴とする請求項５又は６に記載のカメラモジュール。
【請求項８】
請求項１〜４のいずれか一項に記載のカメラモジュールを備えた撮像装置であって、
前記カメラモジュールから出力された前記デジタル画像データに前記カメラモジュールから出力された画像処理パラメータに基づいた所定の処理を施して、画像データを生成する画像処理手段を備えたことを特徴とする撮像装置。
【請求項９】
請求項５〜７のいずれか一項に記載のカメラモジュールを備えた撮像装置であって、
前記カメラモジュールから出力された前記デジタル画像データに前記カメラモジュール
から出力された撮影状況に関するデータに基づいた所定の処理を施して、画像データを生成する画像処理手段を備えたことを特徴とする撮像装置。
【発明の詳細な説明】
【技術分野】
【０００１】
本発明は、カメラモジュール及び撮像装置に関する。
【背景技術】
【０００２】
近年、デジタルカメラなどの撮像装置は、いつでも簡易に撮像を行なうことができる点が評価されて一般に広く普及している。このような撮像装置で出力される画像データは、Ｅｘｉｆ（EXchangeable  Image  File  format）規格に準拠した形式で生成されることが多くあり、この規格の画像データのヘッダ部には、撮像時の露出時間、シャッタースピード、輝度、撮影日時等の動的な撮影情報や、撮像装置のメーカ名、モデル名等の固定的な撮像情報等が付帯されて記憶されているため、ユーザはこの撮像情報により画像データ撮像時の詳細な撮像情報を知ることが可能となっている。例えば、特許文献１には、このＥｘｉｆ形式で付帯された情報に任意の情報を記憶させる撮像装置が提案されている。
【０００３】
また、上述した撮像機能は、デジタルカメラだけでなく、ＰＣ（Personal  Computer）、ＰＤＡ（Personal  Digital  Assistant）及び携帯電話などにおける情報端末の付加機能としても広く実現されている。この場合は、被写体を撮像して画像データを出力するカメラモジュールと、この出力された画像データの記録及び表示等を行なう撮像装置本体（以下、「本体ユニット」という）とに大別することが可能であり、カメラモジュール側で撮像された撮像画像データに撮像時のＥｘｉｆ情報を付帯させて、本体ユニットに出力を行なうという構成が考えられている。このような構成にすることにより、カメラモジュールを一つのモジュールとして取り扱うことができるため、接続する本体ユニットの形態によらず汎用的に適用することが可能となり、撮像装置の製造工程においても利便性を向上することができる。
【特許文献１】特開２００３−２２４７５０号公報
【発明の開示】
【発明が解決しようとする課題】
【０００４】
しかしながら、上述した技術を用いたＥｘｉｆ情報を付帯させた画像データを本体ユニットに出力する構成では、カメラモジュール側で当該カメラモジュール内の光学系など撮像に関する制御の他に画像処理や画像データの符号化処理なども行なう必要があるため、カメラモジュール側の処理負担が大きく、複雑な構成となり、消費電力の増大や画像データへのノイズの影響などがあった。
また、単純に撮像した画像データを処理能力の高い本体ユニット側に出力する構成では、撮像時におけるＡＦ（Auto  Focus）の距離値やＡＥ（Auto  Exposure）の調整値などによる撮影状況やカメラモジュール固有の情報を元にした画像処理を行なうことができないため、本体ユニット側で処理された画像データが再現性の低い画像データとなるなどの問題があり、更なる開発が望まれていた。
【０００５】
本発明の課題は、撮像された画像データを本体側で再現性よく再生可能に出力するカメラモジュールを提供することにある。
【課題を解決するための手段】
【０００６】
上記課題を解決するために、請求項１に記載の発明は、光学系から撮像面に入力される被写体像をデジタル画像データとして取得する撮像手段と、前記取得されたデジタル画像データに基づいて撮像に係る調整の基準である評価値を算出する算出手段と、前記算出された評価値に応じて前記被写体像の撮像に係る調整を行なう調整手段と、前記算出された評価値に応じた画像処理パラメータを決定するパラメータ決定手段と、前記デジタル画像
データに当該デジタル画像データに関する前記画像処理パラメータを付帯させて外部機器へ出力する出力手段と、を備えたことを特徴とする。
【０００７】
請求項２に記載の発明は、請求項１に記載の発明において、前記算出される評価値は、前記被写体像の焦点調整に関するＡＦ評価値であり、前記調整手段は、前記ＡＦ評価値に基づいた焦点調整であることを特徴とする。
【０００８】
請求項３に記載の発明は、請求項１又は２に記載の発明において、前記算出される評価値は、前記被写体像の露光に関するＡＥ評価値であり、前記調整手段は、前記ＡＥ評価値に基づいた露光調整であることを特徴とする。
【０００９】
請求項４に記載の発明は、請求項１〜３のいずれか一項に記載の発明において、前記出力手段から出力される画像処理パラメータは、ホワイトバランスゲイン情報、カラーマトリクス情報、階調曲線情報、ノイズ除去フィルタ情報、エッジゲイン情報のうちいずれか一の情報であることを特徴とする。
【００１０】
請求項５に記載の発明は、光学系から撮像面に入力される被写体像をデジタル画像データとして取得する撮像手段と、前記取得されたデジタル画像データに基づいて撮像に係る調整の基準である評価値を算出する算出手段と、前記算出された評価値に応じて前記被写体像の撮像に係る調整を行なう調整手段と、前記算出された評価値に応じた撮像時の撮影状況を判定する判定手段と、前記デジタル画像データに当該デジタル画像データに関する前記撮影状況を付帯させて外部機器へ出力する出力手段と、を備えたことを特徴とする。
【００１１】
請求項６に記載の発明は、請求項５に記載の発明において、前記算出される評価値は、前記被写体像の焦点調整に関するＡＦ評価値であり、前記調整手段は、前記ＡＦ評価値に基づいた焦点調整であることを特徴とする。
【００１２】
請求項７に記載の発明は、請求項５又は６に記載の発明において、前記算出される評価値は、前記被写体像の露光に関するＡＥ評価値であり、前記調整手段は、前記ＡＥ評価値に基づいた露光調整であることを特徴とする。
【００１３】
請求項８に記載の発明は、請求項１〜４の何れか一項に記載のカメラモジュールを備えた撮像装置であって、前記カメラモジュールから出力された前記デジタル画像データに前記カメラモジュールから出力された画像処理パラメータに基づいた所定の処理を施して、画像データを生成する画像処理手段を備えたことを特徴とする。
【００１４】
請求項９に記載の発明は、請求項５〜７に記載のいずれか一項に記載のカメラモジュールを備えた撮像装置であって、前記カメラモジュールから出力された前記デジタル画像データに前記カメラモジュールから出力された撮影状況に関するデータに基づいた所定の処理を施して、画像データを生成する画像処理手段を備えたことを特徴とする。
【発明の効果】
【００１５】
請求項１に記載の発明によれば、撮像手段で撮像されたＲＡＷデータに基づいて撮像に係る調整の基準である評価値を算出し、当該評価値に基づいて前記撮像に係る調整及び画像処理パラメータの決定を行ない、その画像処理パラメータを撮像によるデジタル画像データに付帯させて外部機器への出力する構成であるため、本体側に鮮明に撮像された画像データを再現性良く再生可能に出力することができる。
【００１６】
請求項２、３、６、７に記載の発明によれば、自動焦点／自動露光を行なうことで、ピンぼけのない、明暗のコントラストが正確な撮像画像を得ることができるとともに、本体
側においてその撮像された画像データを再現性良く再生することができる。
【００１７】
請求項４に記載の発明によれば、外部機器側ではホワイトバランスゲイン情報、カラーマトリクス情報、階調曲線情報、ノイズ除去フィルタ情報、エッジゲイン情報のうちいずれか一の情報に基づいて撮像された画像データを再生することができるため、画像の色、階調、鮮鋭性、ノイズ感に関してより忠実に再現することができる。
【００１８】
請求項５に記載の発明によれば、例えば「夜景」・「風景」・「人物」など撮影時の状況に関する情報を通知する構成であるため、外部機器側において撮影状況に合わせた再生を行うことができる。
【００１９】
請求項８、９に記載の発明によれば、カメラモジュールと撮像装置との構成において、再現性の良い画像データを得ることが可能となる。
【発明を実施するための最良の形態】
【００２０】
［第１の実施の形態］
以下、この発明の実施の形態について説明するが、この発明は、この実施の形態に限定されない。また、この発明の実施の形態は発明の最も好ましい形態を示すものであり、発明の用語はこれに限定されない。
【００２１】
図１に本発明であるカメラモジュール１と外部装置である本体ユニット２とで構成された撮像装置１００の内部構成を示す。図１に示すように、撮像装置１００は、本体側の各種動作を制御する本体ユニット２と、その本体ユニット２に制御可能に接続されるとともに、撮像したデジタル画像データや各種データ値をシリアル通信で出力するカメラモジュール１とを備える構成である。撮像装置１００は、具体的には、カメラモジュール１により撮像機能を備えるデジタルカメラ、携帯電話、ＰＤＡ又はＰＣ等である。
【００２２】
本体ユニット２は、ＣＰＵ（Central  Processing  Unit）等により撮像装置１００の動作を統括制御する制御部２１と、画像処理用ＤＳＰ（Digital  Signal  Processor）等によりカメラモジュール１から出力されるデジタル画像データに画像処理を施す画像処理部２２と、デジタル画像データ又はその他の各種データや制御部２１が実行するプログラムを格納する記憶部２３と、携帯電話、ＰＤＡ又はＰＣなどの各種機能を実現する特に図示しない機能部とを備える。
【００２３】
カメラモジュール１は、図１に示すように、レンズ部１０、絞り機構１０ａ、センサ部１１、ＡＦＥ１２、制御部１３、Ｉ／Ｆ１４、及びアクチュエータ１５を備える。
【００２４】
レンズ部１０は、センサ部１１の撮像面に外界からの画像を結像するガラス又はプラスチック製の特に図示しない光学レンズで構成される。レンズ部１０は、上述した光学レンズのレンズ位置がアクチュエータ１５により可動調整されることでセンサ部１１の撮像面に結像する画像の焦点位置を調節する。なお、レンズ部１０は、レンズ位置の可動調整によりズーム機構を実現する構成であってもよい。また、レンズ部１０とセンサ部１１との間には、アクチュエータ１５により可動するシャッター羽根である絞り機構１０ａを備える。
【００２５】
センサ部１１は、例えば、ＣＣＤ（Charge  Coupled  Device）やＣＭＯＳ（Complementary  Metal  Oxide  Semiconductor）等の撮像素子であり、撮像面に結像された光画像を各画素のアナログ電気信号（光量に応じた電荷量）であるアナログ画像信号としてＡＦＥ１２へ出力する。なお、センサ部１１は、各画素においてＲＧＢ（Red、Green、Blue）のフィルターを備え、色情報を検出する構成であってもよい。
【００２６】
ＡＦＥ１２は、入力するアナログ画像信号をデジタル画像信号（ＲＡＷデータ）に変換して出力する回路である。なお、ＡＦＥ１２は、ノイズを軽減させるＣＤＳ（Correlated
Double  Sampling：相関二重サンプリング）回路、信号の増幅を行なうＡＧＣ（Automatic  Gain  Control：自動利得制御）回路等を含む構成であってよい。
【００２７】
制御部１３は、入力するＲＡＷデータに基づいたＡＷＢ（ホワイトバランス）評価値、ＡＦ（自動焦点）評価値、ＡＥ（自動露光）評価値を算出する評価値算出部１３１、ＲＯＭなどである記憶部１３２、上記評価値に基づいた判定により画像処理パラメータや撮影状況に関するデータを出力する判定部１３３、及び特に図示しないＣＰＵや内部ＲＡＭ（Random  Access  Memory）を備え、記憶部１３２に格納された制御プログラムや本体ユニット２からの制御指示に基づいてカメラモジュール１の各部を統括制御する。
【００２８】
制御部１３は、具体的には、入力されるＲＡＷデータに基づいた上記評価値に応じて、アクチュエータ１５に制御信号を送ることによるレンズ部１０のレンズ位置調整や絞り機構１０ａの開口調整、又はセンサ部１１からＡＦＥ１２への信号の取出しタイミングを調整することによる露光調整を行なう。また、制御部１３は、撮像して得られたＲＡＷデータと判定部１３３から出力されたデータをＩ／Ｆ１４から外部機器へ出力する。
【００２９】
Ｉ／Ｆ１４は、入力されるデータ信号を所定のシリアル通信で本体ユニット２に出力するインターフェイスである。なお、所定のシリアル通信とは、Ｉ２Ｃ（登録商標）、ＵＡＲＴ（Universal Asynchronous Receiver Transmitter）、ＵＳＢ（Universal Serial Bus）、ＳＣＬ（Serial  CLock）、ＳＤＡ（Serial  DAta）などである。
【００３０】
アクチュエータ１５は、ステッピングモータ、電圧を印可すると変形するピエゾ素子を利用し、駆動電流によりピエゾ素子の伸びと縮みの速度を異なるように振動させて行なうピエゾアクチュエータ、又は静電アクチュエータなどであり、制御部１３の制御により駆動することで、レンズ部１０における光学レンズの調整や絞り機構１０ａにおけるシャッター羽根の開閉動作を行なう。
【００３１】
次に、制御部１３に入力されるＲＡＷデータに基づいて評価値を算出し、当該評価値に基づいて判定部１３３で判定した画像処理パラメータ又は撮影状況に関するデータをＲＡＷデータに付帯させて本体ユニット２に出力する構成、及び本体ユニット２で行なわれる画像処理パラメータ又は撮影状況に関するデータとＲＡＷデータとに基づいた画像処理について図２、図３を参照して説明する。図２は、制御部１３に入力されたＲＡＷデータに基づいた画像処理パラメータの出力及び当該画像処理パラメータと当該ＲＡＷデータとによる画像処理の概略を説明する図であり、図３（ａ）は、画像データ（ＲＡＷデータ）に画像処理パラメータを付帯させてカメラモジュール１から本体ユニット２に送信するデータ構成の概略を説明する図であり、図３（ｂ）は、画像データ（ＲＡＷデータ）に撮影状況に関するデータを付帯させてカメラモジュール１から本体ユニット２に送信するデータ構成の概略を説明する図である。
【００３２】
図２に示すように、制御部１３は、入力されるＲＡＷデータに基づいて評価値算出部１３１のＡＷＢ評価値算出部１３１ａ、ＡＦ評価値算出部１３１ｂ、及びＡＥ評価値算出部１３１ｃで算出される評価値に基づいて判定部１３３で判定される画像処理パラメータや撮影状況に関するデータを当該ＲＡＷデータとともに本体ユニット２に対して出力する。
【００３３】
ＡＷＢ評価値算出部１３１ａは、入力される画像信号からＴＴＬ（Through The Lens) 式のＡＷＢ処理に必要な画面全体のＲＧＢフィルタごとの画素値の平均値を出力する。ＡＦ評価値算出部１３１ｂは、入力される画像信号から高周波領域の所定の周波数帯域の信
号成分を抽出し、その抽出された信号を積算したＡＦ評価値を出力する。ＡＥ評価値算出部１３１ｃは、入力される画像信号における画面全体の輝度値の平均値をＡＥ評価値として出力する。
【００３４】
判定部１３３は、ＡＷＢ評価値算出部１３１ａ、ＡＦ評価値算出部１３１ｂ及びＡＥ評価値算出部１３１ｃで算出された評価値と、記憶部１３２に格納された評価値に対するＬＵＴ（ルックアップテーブル）とに基づいて画像処理パラメータや撮影状況を判定し、その画像処理パラメータや撮影状況を示す値を出力する。ここにおける画像処理パラメータとは、白バランスゲイン、カラーマトリクス、階調カーブの特性値、ノイズ除去フィルタの特性値、エッジゲイン値などである。また、撮影状況を示す値とは、「風景」・「人物」・「夜景」などの撮影シーンを示す信号である。
【００３５】
判定部１３３から出力される上記画像処理パラメータ／撮影状況を示す値は、例えばＡＦ評価値に基づく場合には、被写体の距離に応じた「風景」・「近景」を示す信号や、「風景」（より被写体との距離が遠い）の場合には強めのエッジゲイン値、コントラストを高くする階調カーブ値及び彩度を上げるカラーマトリクス値などである。更に、ＡＥ評価値に基づく場合には、「夜景」・「日中」を示す信号や、「夜景」での撮像時におけるセンサのゲインアップに伴うノイズ発生を抑えるノイズ除去フィルタの特性値などである。更に、ＡＷＢ評価値に基づく場合には、より肌色領域が多い場合の「人物」を示す信号や弱めのエッジゲイン値及び肌色の再現性が向上するカラーマトリクス値などである。更に、上述のＡＥ、ＡＦ、ＡＷＢいずれか一つの評価値だけでなく、複数の評価値を参照して判定値を出力する構成であってもよい。
【００３６】
制御部１３は、図３（ａ）に示すように、判定部１３３で判定された画像処理パラーメータである、白バランスゲイン、カラーマトリクス値、階調カーブ値、ノイズ除去フィルタ値、エッジゲイン値などを１フレーム毎の画像データの後に付帯して本体ユニット２に対して送信する。なお、ＡＦ評価値、ＡＥ評価値、ＡＷＢ評価値は、アクチュエータ１５の制御にのみ利用して特に送信しない構成でもよいが、画像データの後に付加する構成であっても良く、特に図示例に限定しない。
【００３７】
また、制御部１３は、図３（ｂ）に示すように、画像データの後に「風景」・「人物」・「夜景」などの撮影シーンに対応する判定部１３３で判定された撮影状況を示す値を送信する。これにより、本体ユニット２は、受信した撮影シーンに対応する画像処理を施すことができる。また、この場合は、撮影シーンに対応する値のみを送信する構成であるため、本体ユニット２に送信するデータ量を低減させることができる。
【００３８】
上述した本体ユニット２に送信されたRAWデータは、制御部２１の制御指示により、画像処理部２２のAWB処理部２２１、色補間部２２２、色補正部２２３、階調変換部２２４及び色空間変換部２２５の各部でこの順に画像処理された後に記憶部２３に格納される。この時、画像処理部２２は、本体ユニット２に送信された画像処理パラメータ／撮影状況を示す値に応じた処理を行なう。
【００３９】
ＡＷＢ処理部２２１は、入力されるＲＡＷデータと白バランスゲインとに基づいたホワイトバランス処理を行なうようになっている。色補間部２２２は、ＲＡＷデータにおける近接画素間に位置する画素の色情報に基づいた補間演算をする。
【００４０】
色補正部２２３は、ＲＡＷデータの色合いを補正するものであり、より詳細には、各画素における色情報をカメラモジュール１から送られてくるカラーマトリクス値に応じて補正する。階調変換部２２４は、画像データの階調変換を行なうものであり、より詳細には、カメラモジュール１から送られてくる階調カーブ値に応じて階調変換する。色空間変換
部２２５は、ＲＡＷデータ（ＲＧＢ信号）をＹＣｂＣｒ信号に変換する。
【００４１】
制御部２１は、色空間変換部２２５から出力されるＹＣｂＣｒ信号を撮像された画像データとして記憶部２３に格納する。なお、記憶部２３は、色空間変換部２２５から出力される信号に対して、カメラモジュール１から送信されるエッジゲイン値に応じたエッジ強調処理、カメラモジュール１から送信されるノイズ除去フィルタ値に対応するフィルタ処理、ＧＩＦやＪＰＥＧ、ＴＩＦＦ、ＢＭＰ等の規格に準拠した形式への画像変換処理、又は１フレーム毎の動画データの場合におけるＡＶＩ（Audio Video Interleave）形式、ＭＰＥＧ（Moving Picture Experts Group）形式、ＷＡＶ形式への動画像変換処理を行ない、その処理後の画像データを記憶部２３に格納する構成であっても良い。
【００４２】
以上のように、カメラモジュール１は、センサ部１１で撮像されたＲＡＷデータに基づいて撮像に係る調整のための評価値を評価値算出部１３１で算出し、その算出値に応じた被写体像の調整を制御部１３がアクチュエータ１５に指示して行なうとともに、判定部１３３でその評価値に基づいて判定される画像処理パラメータ／撮影状況を示す値を上記ＲＡＷデータに付帯させて本体ユニット２に出力する。このため、カメラモジュール１は、被写体像の調整を行なうとともに、撮像された画像データを本体側で再現性よく再生可能に出力することができる。
【００４３】
また、カメラモジュール１は、画像処理パラメータ／撮影状況を示す値として白バランスゲイン、カラーマトリクス値、階調カーブの特性値、ノイズ除去フィルタの特性値、エッジゲイン値や、「風景」・「人物」・「夜景」などの撮影シーンを示す信号を出力する構成であるため、本体ユニット２における画像データの再生を上述した撮影状況に適したものにすることができる。
【００４４】
なお、本実施の形態における記述は、本発明の一例を示すものであり、これに限定しない。本実施の形態のおけるカメラモジュール１又は撮像装置１００の細部構成及び細部動作に関しては、本発明の趣旨を逸脱しない範囲で適宜変更が可能である。
【００４５】
例えば、上述した各評価値の算出は、入力される画像信号全体（画面全体）を参照して算出する構成でもよいが、画像信号の一部（画面の一部領域）から算出する構成であってもよい。
【図面の簡単な説明】
【００４６】
【図１】本発明であるカメラモジュール１を適用した撮像装置１００の機能的構成を模式的に示した図である。
【図２】ＲＡＷデータに基づいた画像処理パラメータの出力及び当該画像処理パラメータと当該ＲＡＷデータとによる画像処理の概略を示した図である。
【図３】（ａ）は、画像データ（ＲＡＷデータ）に画像処理パラメータを付帯させてカメラモジュール１から本体ユニット２に送信するデータ構成の概略図であり、（ｂ）は、画像データ（ＲＡＷデータ）に撮影状況に関するデータを付帯させてカメラモジュール１から本体ユニット２に送信するデータ構成の概略図である。
【符号の説明】
【００４７】
１００  撮像装置
１  カメラモジュール
１０  レンズ部
１０ａ  絞り機構
１１  センサ部（撮像手段）
１２  ＡＦＥ
１３  制御部
１３１  評価値算出部（算出手段）
１３１ａ  ＡＷＢ評価値算出部
１３１ｂ  ＡＦ評価値算出部
１３１ｃ  ＡＥ評価値算出部
１３２  記憶部
１３３  判定部（パラメータ決定手段）
１４  Ｉ／Ｆ（出力手段）
１５  アクチュエータ（調整手段）
２  本体ユニット
２１  制御部
２２ 画像処理部（画像処理手段）
２２１  ＡＷＢ処理部
２２２  色補間部
２２３  色補正部
２２４  階調変換部
２２５  色空間変換部
２３  記憶部
【図１】
2006295305.tif 000003
【図２】
2006295305.tif 000004
【図３】
2006295305.tif 000005